【手続補正書】
【提出日】平成23年2月22日(2011.2.22)
【手続補正１】
【補正対象書類名】明細書
【補正対象項目名】００９８
【補正方法】変更
【補正の内容】
【００９８】
本出願では、以下の態様が提供される。
１．  ミクロ構造を有する微多孔膜シートの形成方法であって、ａ）ポリマー材料及び溶媒を含むドープ配合物を提供する工程と、ｂ）第１の凝固剤及び第１のコーティング補助剤を含む第１の凝固剤配合物を提供する工程、及びｃ）前記第１の凝固剤配合物と前記ドープ配合物との間に境界面を形成する条件下において、第１表面を有するドープ配合物層及び第１の凝固剤配合物層を同時キャストする工程、を含み、前記境界面が、前記ドープ配合物層の前記第１表面と向かい合っており、前記第１の凝固剤配合物の一部が、前記境界面を通して前記ドープ配合物に拡散して第１の転相が起こり、それによって第１のミクロ構造を有する膜が形成される、方法。
２．  前記第１表面と蒸気である第２の凝固剤とを接触させる工程を更に含み、前記第２の凝固剤が、前記第１表面を介して前記ドープ配合物に拡散して第２の転相が起こり、それによって第２のミクロ構造が形成される、態様１に記載の方法。
３．  前記第１のミクロ構造が、前記第２のミクロ構造とは異なる、態様２に記載の方法。
４．  前記第１のミクロ構造の深さが、膜厚の５〜９５パーセントの範囲内である、態様２に記載の方法によって形成される微多孔膜シート。
５．  前記第２のミクロ構造の深さが、膜厚の５〜９５パーセントの範囲内である、態様２に記載の方法によって形成される微多孔膜シート。
６．  第２の凝固剤配合物を更に含み、前記第２の凝固剤配合物が、第３の凝固剤及び第２のコーティング補助剤を含む、態様１に記載の方法。
７．  前記第２の凝固剤配合物が、前記ドープ配合物及び前記第１の凝固剤配合物と同時キャストされ、前記第２の凝固剤配合物が、前記ドープ配合物層の前記第１表面上でキャストされ、前記第２の凝固剤配合物の一部が、前記ドープ配合物に拡散して第２の転相が起こり、それによって第２のミクロ構造が形成される、態様６に記載の方法。
８．  前記第２の凝固剤配合物が、前記ドープ配合物層の前記第１表面上で続けてキャストされる、態様６に記載の方法。
９．  溶媒を除去する工程、及び膜を乾燥する工程を更に含む、態様１に記載の方法。
１０．  前記方法が、凝固浴を用いずに行われる、態様１に記載の方法。
１１．  少なくとも２つのドープ配合物及び少なくとも２つの凝固剤配合物を含む、態様１に記載の方法。
１２．  前記ポリマー材料が、ポリエーテルスルホン、ポリエーテルイミド、ナイロン及びこれらの組み合わせからなる群から選択される、態様１に記載の方法。
１３．  前記溶媒が、水、アミド、アルコール、脂肪族アルコール及びこれらの組み合わせからなる群から選択される、態様１に記載の方法。
１４．  前記ドープ配合物の前記ポリマー材料の濃度が、１０〜２５重量パーセントの範囲内である、態様１に記載の方法。
１５．  前記第１のコーティング補助剤が、ポリ（エチレングリコール）、ポリエーテル及びこれらの組み合わせからなる群から選択される、態様１に記載の方法。
１６．  前記第１のコーティング補助剤の濃度が、２０〜９５重量パーセントの範囲内である、態様１に記載の方法。
１７．  前記同時キャストが、多層押出金型によって達成される、態様１に記載の方法。
１８．  前記ドープ配合物が、０．０２Ｐａ・ｓ〜４Ｐａ・ｓ（２０〜４，０００センチポアズ）の範囲内の粘度を有する、態様１に記載の方法。
１９．  前記第１の凝固剤配合物が、０．０２Ｐａ・ｓ〜４Ｐａ・ｓ（２０〜４，０００センチポアズ）の範囲内の粘度を有する、態様１に記載の方法。
２０．  対向する第１表面及び第２表面を有し、２つの多孔性のミクロ構造を有することで特徴化されるポリマー膜であって、第１のミクロ構造が、前記第１表面に最も近く、厚さ方向に伸びる平行に伸びた円筒形の孔を含み、第２のミクロ構造が、前記第２表面に最も近く、楕円形の孔を含み、前記第１のミクロ構造及び第２のミクロ構造の一部が、それぞれ第１表面及び第２表面において開放されている、ポリマー膜シート。
２１．  前記第１のミクロ構造の深さが、厚さ方向の５〜９５パーセントの範囲内である、態様２０に記載のポリマー膜シート。
２２．  前記第２のミクロ構造の深さが、厚さ方向の５〜９５パーセントの範囲内である、態様２０に記載のポリマー膜シート。
本発明の範囲及び趣旨から逸脱することなく本発明の様々な修正形態及び変更形態が、当業者には、明らかとなろう。また、本発明は、本明細書に記載した例示的な要素に限定されないことが理解されるべきである。
【手続補正２】
【補正対象書類名】特許請求の範囲
【補正対象項目名】全文
【補正方法】変更
【補正の内容】
【特許請求の範囲】
【請求項１】
ミクロ構造を有する微多孔膜シートの形成方法であって、
ａ）ポリマー材料及び溶媒を含むドープ配合物を提供する工程と、
ｂ）第１の凝固剤及び第１のコーティング補助剤を含む第１の凝固剤配合物を提供する工程、及び
ｃ）前記第１の凝固剤配合物と前記ドープ配合物との間に境界面を形成する条件下において、第１表面を有するドープ配合物層及び第１の凝固剤配合物層を同時キャストする工程、を含み、
前記境界面が、前記ドープ配合物層の前記第１表面と向かい合っており、
前記第１の凝固剤配合物の一部が、前記境界面を通して前記ドープ配合物に拡散して第１の転相が起こり、それによって第１のミクロ構造を有する膜が形成される、方法。
【請求項２】
前記第１表面と蒸気である第２の凝固剤とを接触させる工程を更に含み、前記第２の凝固剤が、前記第１表面を介して前記ドープ配合物に拡散して第２の転相が起こり、それによって第２のミクロ構造が形成され、前記第１のミクロ構造が、前記第２のミクロ構造とは異なる、請求項１に記載の方法。
【請求項３】
第２の凝固剤配合物を更に含み、前記第２の凝固剤配合物が、第３の凝固剤及び第２のコーティング補助剤を含む、請求項１に記載の方法。
【請求項４】
前記第２の凝固剤配合物が、前記ドープ配合物及び前記第１の凝固剤配合物と同時キャストされ、前記第２の凝固剤配合物が、前記ドープ配合物層の前記第１表面上でキャストされ、前記第２の凝固剤配合物の一部が、前記ドープ配合物に拡散して第２の転相が起こり、それによって第２のミクロ構造が形成される、請求項３に記載の方法。
【請求項５】
前記ポリマー材料がポリエーテルスルホン、ポリエーテルイミド、ナイロン及びこれらの組み合わせからなる群から選択され、前記溶媒が水、アミド、アルコール、脂肪族アルコール及びこれらの組み合わせからなる群から選択され、前記ドープ配合物の前記ポリマー材料の濃度が１０〜２５重量パーセントの範囲内であり、前記第１のコーティング補助剤がポリ（エチレングリコール）、ポリエーテル及びこれらの組み合わせからなる群から選択され、前記第１のコーティング補助剤の濃度が２０〜９５重量パーセントの範囲内である、請求項１に記載の方法。
【請求項６】
対向する第１表面及び第２表面を有し、２つの多孔性のミクロ構造を有することで特徴化されるポリマー膜であって、第１のミクロ構造が、前記第１表面に最も近く、厚さ方向に伸びる平行に伸びた円筒形の孔を含み、第２のミクロ構造が、前記第２表面に最も近く、楕円形の孔を含み、前記第１のミクロ構造及び第２のミクロ構造の一部が、それぞれ第１表面及び第２表面において開放されている、ポリマー膜シート。